(57)【要約】  【課題】回転に伴って周囲の家具等に干渉し難い座を構成するとともに着座者を包み込むような背凭れを構成するための設計の自由度に優れた椅子を提供する。  【解決手段】座を構成する平面視円形状の座シェルを備えた椅子であり、前記座シェルの湾曲縁から一体に延出された左右対をなす左右の延出壁を備えてなり、これら延出壁により背凭れが構成されている。このようなものであれば、回転に伴って周囲の家具等に干渉し難い座を構成するとともに着座者を包み込むような背凭れを構成するための設計の自由度に優れた椅子を提供することができるものとなる。この椅子では、前記左右の延出壁の上端部同士が一体化されて背シェルが形成されている。【選択図】図１
2018057643.tif 000002
【特許請求の範囲】
【請求項１】
座を構成する平面視円形状の座シェルを備えた椅子であって、
前記座シェルの湾曲縁から一体に延出された左右対をなす左右の延出壁を備えてなり、これら延出壁により背凭れが構成されている椅子。
【請求項２】
前記左右の延出壁の上端部同士が一体化されて背シェルが形成されている請求項１記載の椅子。
【請求項３】
前記左右の延出壁の縁部と前記座シェルにおける前記左右の延出壁間の縁部とによって窓枠が形成された貫通窓を備えている請求項１又は２記載の椅子。
【請求項４】
前記座が、前記座シェルと、この座シェルの上に配設される座クッションとを備えたものであり、
前記座の前側では、前記座シェルの前端部が、前記座クッションの前端部よりも前側に位置し、
前記座の後側では、前記座クッションの後端部が、前記座シェルの後端部よりも後側に位置している請求項１、２又は３記載の椅子。
【請求項５】
前記座シェルが、後端部外面に前記貫通窓に隣接する凹陥部を備えたものであり、前記貫通窓の縁と前記凹陥部の縁とが環状に連続している請求項３記載の椅子。
【発明の詳細な説明】
【技術分野】
【０００１】
本発明は、オフィスや病院等において好適に使用される椅子に関する。
【背景技術】
【０００２】
従来から、背凭れ及び座を合成樹脂により一体に形成し、シェル状をなすように構成した椅子が知られている（例えば、特許文献１を参照）。
【０００３】
ところで、この種の椅子は、座の形状が平面視において概ね矩形状をなしているものとなっている。このようなものであると、座の回転に伴って当該座の角部分が周辺の家具等に当たりやすくなるだけでなく、当該座と一体に形成された背凭れは着座者を包み込むような湾曲形状に形成し難いものとなる。
【先行技術文献】
【特許文献】
【０００４】
【特許文献１】特開２０１３−０００４４７号公報
【発明の概要】
【発明が解決しようとする課題】
【０００５】
本発明は、以上のような事情に着目してなされたもので、回転に伴って周囲の家具等に干渉し難い座を構成するとともに着座者を包み込むような背凭れを構成するための設計の自由度に優れた椅子を提供することにある。
【課題を解決するための手段】
【０００６】
すなわち、本発明は次の構成をなしている。
【０００７】
請求項１に記載の発明は、座を構成する平面視円形状の座シェルを備えた椅子であって、前記座シェルの湾曲縁から一体に延出された左右対をなす左右の延出壁を備えてなり、これら延出壁により背凭れが構成されている椅子である。
【０００８】
請求項２に記載の発明は、前記左右の延出壁の上端部同士が一体化されて背シェルが形成されている請求項１記載の椅子である。
【０００９】
請求項３に記載の発明は、前記左右の延出壁の縁部と前記座シェルにおける前記左右の延出壁間の縁部とによって窓枠が形成された貫通窓を備えている請求項１又は２記載の椅子である。
【００１０】
請求項４に記載の発明は、前記座が、前記座シェルと、この座シェルの上に配設される座クッションとを備えたものであり、前記座の前側では、前記座シェルの前端部が、前記座クッションの前端部よりも前側に位置し、前記座の後側では、前記座クッションの後端部が、前記座シェルの後端部よりも後側に位置している請求項１、２又は３記載の椅子である。
【００１１】
請求項５に記載の発明は、前記座シェルが、後端部外面に前記貫通窓に隣接する凹陥部を備えたものであり、前記貫通窓の縁と前記凹陥部の縁とが環状に連続している請求項３記載の椅子である。
【発明の効果】
【００１２】
以上説明したように本発明によれば、回転に伴って周囲の家具等に干渉し難い座を構成するとともに着座者を包み込むような背凭れを構成するための設計の自由度に優れた椅子を提供することができる。
【図面の簡単な説明】
【００１３】
【図１】本発明の一実施形態を示す斜視図。
【図２】同実施形態における正面図。
【図３】同実施形態における背面図。
【図４】同実施形態における右側面図。
【図５】同実施形態における平面図。
【図６】同実施形態における底面図。
【図７】図２におけるＸ−Ｘ線断面図。
【図８】同実施形態における分解斜視図。
【図９】同実施形態における分解斜視図。
【図１０】同実施形態における分解斜視図。
【図１１】同実施形態におけるシェル体の斜視図。
【図１２】同実施形態におけるシェル体の正面図。
【図１３】同実施形態におけるシェル体の平面図。
【図１４】同実施形態における背クッションベースの斜視図。
【発明を実施するための形態】
【００１４】
以下、本発明の一実施形態を、図１〜１４を参照して説明する。
【００１５】
この実施形態は、本発明をオフィスや病院等において好適に使用される椅子Ａに適用したものである。この椅子Ａは、例えば、病院の診察室内において、看者や医師が好適に使用し得るものとなっている。
【００１６】
椅子Ａは、脚体Ｂと、脚体Ｂに対して回転可能に支持された座Ｃと、当該座Ｃを構成する座シェル１と一体に形成された背シェル３を有した背凭れＤとを備えてなる。この実施形態では、座Ｃは平面視において略円形をなしており、背凭れＤは主として着座者における腰の下部を支持し得るものとなっている。
【００１７】
脚体Ｂは、先端にキャスタｂ１２を備えた複数本の脚羽根ｂ１１からなる脚ベースｂ１と、脚ベースｂ１の中心部に立設された脚支柱ｂ２とを具備してなる。脚支柱ｂ２は、脚ベースｂ１に装着されたシリンダーｂ２１と、シリンダーｂ２１から上端部を突没可能に突出させたピストンロッドｂ２２とを備えたガススプリング構造のものである。ピストンロッドｂ２２の先端には、脚支柱ｂ２の伸縮ロックを解除するためのロック解除ボタンｂ２３が設けられている。
【００１８】
座Ｃは、脚体Ｂに回転可能に支持されている。座Ｃは、平面視において略円形状をなした座シェル１と、座シェル１の上に配設された座クッション２とを備えたものである。
【００１９】
座シェル１は、平面視において、円環状の周縁が形成されている。換言すれば、座シェル１は全周縁において略同じ湾曲度合いに設定された湾曲縁を備えている。座シェル１は、ボウル状をなす座シェル本体Ｌと、座シェル本体Ｌの内面側に設けられ複数のリブを主体に構成されたリブ構成部Ｍとを備えている。
【００２０】
座シェル本体Ｌは、その下面側に、座クッション２を取り付けるための下側から上側に向かって挿入されたねじｖ３の頭部が収容される座ぐり穴１１を備えている。座ぐり穴１１は、座シェル本体Ｌにおける四箇所に設けられている。なお、リブ構成部Ｍには、座ぐり穴１１に対応させてねじ挿通孔ｎ４を有したボス部１９が四箇所に設けられている。
【００２１】
座シェル本体Ｌの下面には、座面２１ｃに対して平行な脚体取付面１３が設けられている。脚体取付面１３は、底面視において円環状をなしている。座シェル本体Ｌは、脚体取付面１３の内側に、脚支柱ｂ２の上端を連通させるための上下方向に貫通する円形の貫通孔ｎ１を備えている。座シェル本体Ｌは、貫通孔ｎ１の下側に、下方に向かって漸次離間幅が広くなるように形成された部分円錐面状の内向きの傾斜面１５を備えている。換言すれば、座シェル本体Ｌの下面側の中央部には、部分円錐形状の空洞ｋｄが形成されている。
【００２２】
座シェル本体Ｌの上面側に配されたリブ構成部Ｍは、左右方向に延びる横向きのリブ１６と、横向きのリブ１６に交差する前後方向に延びる縦向きのリブ１７とを備えている。これら縦向きのリブ１６や横向きのリブ１７を含むリブの上端縁は、座クッション２の座クッションベース２２に添接し得るようになっている。横向きのリブ１６と縦向きのリブ１７との交差部分には、脚体Ｂを取り付けるための図示しないナットを配設するためのねじ挿通孔ｎ３を有した取付台座１８と、座クッション２を取り付けるためのねじ挿通孔ｎ４を有したボス部１９が形成されている。
【００２３】
座シェル１の底面視における中央部分、すなわち、座シェル本体Ｌにおける脚体取付面１３及び座クッション２を取り付けるためのねじ挿通孔ｎ４を含む中央部分は、底面視において略ドーナツ形状をなす座シェル本体Ｌにおける外周部分に対して凹んでなる凹陥形状をなしており、手かけ部として機能し得るようになっている。なお、操作レバーＨの外レバー部ｈ１には、背シェル本体Ｌの凹陥形状に連続するように屈曲した形状部分を有している。
【００２４】
取付台座１８に設けられたねじ挿通孔ｎ３は、脚体取付面１３に開口させてある。横向きのリブ１６は、座面２１ｃに対して前傾させてある。換言すれば、横向きのリブ１６は、脚体取付面１３に対して前傾した姿勢をなしている。
【００２５】
座シェル１の左右方向中央部における前部及び後部、すなわち、リブ構成部Ｍの前部及び後部には、リブにより形成されてなる座位置決め用の下係合部ｔ２が設けられている。
【００２６】
座シェル１には、座Ｃを昇降操作するための操作レバーＨが設けられている。操作レバーＨは、樹脂により一体に形成されたものである。操作レバーＨは、使用者が操作することにより、ピストンロッドｂ２２の先端に設けられているとともに座シェル１の上面側に露出しているロック解除ボタンｂ２３を押圧し得るものである。
【００２７】
操作レバーＨは、外方に向かって漸次拡開する平面視扇状の部分を有した外レバー部ｈ１と、この外レバー部ｈ１から座シェル１の中心部に向かって延出した内レバー部ｈ２とを備えている。
【００２８】
外レバー部ｈ１は、座シェル１に設けられた連通孔ｎ２に挿通されている。そして、外レバー部ｈ１における使用者が直接的に手を掛ける端縁部分ｈ１１が、連通孔ｎ２から座シェル１の下面側に露出するようになっている。
【００２９】
内レバー部ｈ２には、基端部よりの部位に座シェル１のリブ構成部Ｍに設けられた軸受部ｔ３に支持され得る図示しない軸部が前方及び後方に向けて突設されている。内レバー部ｈ２は、その先端部分ｈ２１がロック解除ボタンｂ２３の上端に臨ませてある。つまり、操作レバーＨの端縁部分ｈ１１を上方に引き上げると、操作レバーＨの先端部分ｈ２１が回動して下方に降下し、脚支柱ｂ２のロック解除ボタンｂ２２を押圧し脚体Ｂの伸縮ロックを解除し得るようになっている。
【００３０】
座クッション２は、柔軟性を有する座クッション本体２１と、この座クッション本体２１の下面側を裏当て支持する座クッションベース２２とを備えたものである。
【００３１】
座クッション本体２１は、発泡体製の芯材２１ａと、芯材２１ａの上面及び周縁を覆う外装材２１ｂとを備えたものである。外装材２１ｂの縁には、座クッションベース２２に取り付けるための図示しない取付紐が設けられている。
【００３２】
座クッションベース２２は、座シェル１に対応した平面視円形をなすものである。座クッションベース２２の周縁近傍部には、取付紐を掛け止めするための複数の爪２２ａを備えている。座クッションベース２２には、図示しないナットを保持するナット保持部２２ｂが設けられている。ナット保持部２２ｂは、リブ構成部Ｍに設けられたボス部１９に対応する部位に設けられている。座シェル１の下面側からねじ挿通孔ｎ４に挿通させたねじｖ３をナットに螺着することにより、座クッションベース２２を含む座クッション２が座シェル１に固定されるようになっている。
【００３３】
座クッションベース２２における中心部には、操作レバーＨの先端部分ｈ２１の上面に係止して当該操作レバーＨの先端部分ｈ２１の上動を禁止するためのストッパ２２ｃが下方に向かって突設されている。座クッションベース２２の下面における前端部及び後端部には、座シェル１の下係合部ｔ２に係合する上係合部ｔ４が設けられている。上係合部ｔ４は、外方及び一方の円周方向に開口した凹陥形状のものである。座クッション２を保持した座クッションベース２２を、座シェル１の上に仮載置し、その後、仮載置された当該座クッションベース２２を円周方向に回転させることにより、上係合部ｔ４が座シェル１の下係合部ｔ２に対して係わり合うようになっている。
【００３４】
この実施形態では、座Ｃの前側では、座シェル１の前端部１ａが、座クッション２の前端部２ａよりも前側に位置している。このように配置することによって、座クッション２が周囲の家具や壁体等に直接的に当接し難いものとなり、座クッション２の損傷が好適に抑制されるものとなる。一方で、座Ｃの後側では、座クッション２の後端部２ｂが、座シェル１の後端部１ｂよりも後側に位置している。このように配置することによって、座シェル１の後端部１ｂにおける上縁部分に埃等が堆積することを抑制している。
【００３５】
座シェル１の脚体取付面１３には、空洞ｋｄに配設されるボス部ｉ１を有した円盤状の取付盤Ｉが添設されている。ボス部ｉ１は、座シェル本体Ｌの傾斜面１５に対応した外面を有する部分円錐形状をなしている。取付盤Ｉは、周縁部の四箇所にねじ挿通孔ｉ２を備えている。ねじ挿通孔ｉ２に挿通されたねじｖ２を、取付台座１８におけるねじ挿通孔ｎ３を通して図示しないナットに螺着することによって、取付盤Ｉが座シェル１に取り付けられている。取付盤Ｉのボス部ｉ１には、脚体Ｂの上端部すなわちピストンロッドｂ２２の先端部が装着されている。
【００３６】
座シェル１の下には、取付盤Ｉを隠蔽するためのカバーＪが設けられている。カバーＪには、周縁における前後及び左右の四箇所に弾性爪ｊ１を備えている。これら弾性爪ｊ１を取付盤Ｉの周縁部に係わり合わせることにより、カバーＪが取付盤Ｉに取り付けられるようになっている。
【００３７】
次いで、背凭れＤについて説明する。
【００３８】
背凭れＤは、その側面視における上下方向寸法ｗ１が、座Ｃの側面視における前後方向寸法ｗ２よりも短く設定されており、主として、着座者における腰から下部分を後方から支持し得るものとなっている。背凭れＤは、湾曲した板状の部材を主体に構成された背シェル３と、この背シェル３の前面に設けられた背クッション４とを備えたものである。背シェル３は、平面視おいて、座シェル１の外縁に沿って湾曲した形状をなしている。
【００３９】
背シェル３は、座シェル１の後部における左右両側に位置する湾曲縁１２ａから一体に延出された左右対をなす左右の延出壁３１を備えている。そして、これら左右の延出壁３１によって背凭れＤが構成されている。すなわち、左右の延出壁３１の延出端部同士が一体的に結合して背シェル３が形成されている。
【００４０】
左右の延出壁３１は、座シェル本体Ｌから上方に延びる縦延出部分３１ａと、縦延出部分３１ａの上端から内方に延びる横延出部分３１ｂとを一体に備えている。そして、左右の延出壁３１の横延出部分３１ｂ同士が中間位置において連結して一体化されている。
【００４１】
左右の延出壁３１の横延出部分３１ｂには、後述するテーパー係合手段Ｅを構成するテーパー係合穴ｅ１が設けられているとともに、後述する固定手段Ｆを構成するねじ挿通孔ｆ２が形成されている。
【００４２】
延出壁３１は、下端縁における前端部を座シェル１の前後方向中央付近に位置させている。延出壁３１は、下端縁における後端部を座シェル１の前後方向後端よりも前に位置させている。延出壁３１の基端部は座シェル１の後部両側の湾曲縁１２ａに沿って湾曲しており、横延出部分３１ｂである延出壁３１の上部は座シェル１の後端部の湾曲縁１２ｂに沿って湾曲している。すなわち、これらの延出壁３１により構成される背シェル３は、座シェル１の外縁に沿って湾曲したものであり、着座者を包み込むような形態をなしている。
【００４３】
背クッション４は、柔軟性を有する背クッション本体４１と、背クッション本体４１の背面側を裏当て支持する背クッションベース４２とを備えたものである。この背クッション４は、背シェル３の前面側にのみ設けられている。
【００４４】
背クッション本体４１は、発泡体製の芯材４１ａと、芯材４１ａの前面及び周縁を覆う外装材４１ｂとを備えたものであり、背クッションベース４２の前面に添設されている。
【００４５】
背クッションベース４２は、背シェル３における横延出部分３１ｂに対応した正面視横長形状をなすものである。背クッションベース４２には、背シェル３に設けられたテーパー係合穴ｅ１に係合するテーパー係合突起ｅ２が設けられている。テーパー係合突起ｅ２は、背クッションベース４２の背面側に後方に向かって立設され先端縁４２ｂが背シェル３の前面に当接し得るように構成された円環状のリブ４２ａに設けられている。円環状のリブ４２は、背クッションベース４２の外周縁に沿うような横長円環状をなしており、当該背クッションベース４２の外周縁よりも内側に位置している。テーパー係合突起ｅ２は、円環状のリブ４２ａの上側の中央及び左右の三箇所に設けられている。
【００４６】
背クッションベース４２は、背シェル３のねじ挿通孔ｆ２に挿通されたねじｖ１が螺着するナット部ｆ１を備えている。ナット部ｆ１は、円環状のリブ４２ａにおける下側の中央に設けられている。
【００４７】
以上説明した背シェル３と座シェル１との間には貫通窓ｍｄが形成されている。貫通窓は、左右の延出壁３１の縁部たる内縁３１ｅと背シェル３を構成する左右の延出壁３１間に位置する座シェル１の縁部たる湾曲縁１２ｂとによって窓枠が形成された貫通窓ｍｄを備えている。すなわち、貫通窓ｍｄは、背シェル３における左右の延出壁３１の内縁３１ｅと、座シェル１における後縁すなわち座シェル本体Ｌにおける左右の延出壁３１間に位置してなる露出した湾曲縁１２ｂとによって形成されたものである。なお、座シェル１の後端部外面には、貫通窓ｍｄに隣接する凹陥部ｔ１が形成されている。この凹陥部ｔ１の縁である外側の稜線部分すなわち屈曲面ｔ１１と貫通窓ｍｄの縁である延出壁３１の内縁３１ｅとは略環状に連続している。凹陥部ｔ１は、使用者の手かけ部としても機能し得るようになっている。
【００４８】
この実施形態では、座シェル１と背シェル３とが合成樹脂により一体に形成されたものとなっている。換言すれば、座シェル１と背シェル３とによって剛性に優れた単一のシェル体Ｓが構成されている。シェル体Ｓには、前後方向に連通した貫通窓ｍｄが形成されている。より具体的に言えば、貫通窓ｍｄは、主として背シェル３部分に形成されたものである。貫通窓ｍｄは、左右の延出壁３１の内縁３１ｅと座シェル１における後縁とによって、その窓縁が形成されたものとなっている。
【００４９】
しかして、この実施形態の椅子Ａは、背シェル３に対して、テーパー係合手段Ｅを介して背クッション４を取り付け得るように構成している。
【００５０】
テーパー係合手段Ｅは、背シェル３に設けられ開放側に向かって漸次開口幅が大きくなるテーパー係合穴ｅ１と、背クッションベース４２に設けられテーパー係合穴ｅ１に係わり合うテーパー係合突起ｅ２とを備えたものである。
【００５１】
テーパー係合穴ｅ１は、背シェル３に設けられたものであり、座面２１ｃに対して前傾する方向に開口したものである。テーパー係合穴ｅ１は、下縁を背シェル３の前面に支持させた前壁ｅ１１と、前壁ｅ１１の両側縁を背シェル３の前面に接続する側壁ｅ１２とによって形成されたものである。前壁ｅ１１及び側壁ｅ１２は、左右の延出壁３１の前面側に一体に設けられている。
【００５２】
テーパー係合突起ｅ２は、背クッションベース４２に設けられたものである。テーパー係合突起ｅ２は、背シェル３に設けられたテーパー係合穴ｅ１の方向すなわち下方に向かって漸次先細りとなる形状をなしている。
【００５３】
この実施形態においては、テーパー係合穴ｅ１が、背シェル３における前面の左右方向中央部、左部、及び、右部の三箇所にそれぞれ設けられており、テーパー係合突起ｅ２が、背クッション４における背面の左右方向中央部、左部、及び、右部の三箇所にそれぞれ設けられている。テーパー係合穴ｅ１を形成する前壁ｅ１１と側壁ｅ１２との稜線ｅ１３すなわち境界線は、座シェル１における横向きのリブ１６の起立方向に対して平行となるように設定されている。
【００５４】
固定手段Ｆは、テーパー係合手段Ｅを介して背シェル３に掛け止めされたクッションを脱落不能に背シェル３に固定するためのものである。より具体的に言えば、固定手段Ｆは、背クッションベース４２に設けられたナット部ｆ１と、このナット部ｆ１に対応させて背シェル３に前後方向に貫通して設けられたねじ挿通孔ｆ２と、このねじ挿通孔ｆ２を通してナット部ｆ１に螺着されるねじｖ１とを具備してなる。
【００５５】
背シェル３の背面には、固定手段Ｆを構成するねじの頭を隠蔽するための隠蔽部材が装着されている。隠蔽部材は、背シェル３の背面に接着される比較的小さなプレート状のものである。なお、隠蔽部材の背面すなわち外面には商標等の文字や図形が表示されている。
【００５６】
以上説明したように、本実施形態に係る椅子Ａは、座Ｃを構成する平面視円形状の座シェル１を備えたものである。そして、座シェル１の湾曲縁１２ａから一体に延出された左右対をなす左右の延出壁３１を備えてなり、これら延出壁３１により背凭れＤが構成されている。このため、回転に伴って周囲の家具等に干渉し難い座Ｃを構成するとともに着座者を包み込むような形状をなす背凭れＤを構成するための設計の自由度に優れた椅子Ａを提供することができるものとなる。
【００５７】
つまり、座シェル１が平面視円形状に形成されているため、平面視において円形状をなす座Ｃを構成しやすいものとなる。また、平面視円形状をなす座シェル１から一体に延出された背凭れＤを構成する左右の延出壁３１を備えているため着座者を包み込むような湾曲形状を形成しやすいものとなっている。
【００５８】
左右の延出壁３１の上端部同士が一体化されて背シェルが形成されている。すなわち、左右の延出壁３１は、その内縁３１ｅが座シェル１における円弧状縁部たる湾曲縁１２ｂと略同一の円弧状をなしており、その円弧形状を保ったまま上方に延びている。したがって、左右の延出壁３１は、単なる平面板状のものとは異なり、三次元的な形状をなしているため優れた強度を発揮し得るものとなっている。
【００５９】
左右の延出壁３１は、座シェル１の円弧状縁部における離間した二箇所に略対向するように形成されており、当該左右の延出壁３１の先端部同士が相互に連結されている。その結果、座シェル１の縁部たる湾曲縁１２ｂと略同形状の円弧状に一体化されてなる背シェル１が構成されている。このため、背シェル１は、左右の延出壁３１同士が繋がっているため、優れた強度を発揮して着座者の荷重を好適に受け止め得るものとなるだけでなく、左右の延出壁３１間に貫通窓ｍｄを形成するための設計の自由度に優れたものとなっている。
【００６０】
左右の延出壁３１の縁部たる内縁３１ｅと座シェル１における前記左右の延出壁３１間の縁部たる湾曲縁１２ｂとによって、貫通窓ｍｄが形成されている。このため、空気の流通を許容できるだけでなく視覚的にも好適な印象を与え得る貫通窓ｍｄを左右の延出壁３１と座シェル１との間に構成することができるものとなっている。
【００６１】
座Ｃが、座シェル１と、この座シェル１の上に配設される座クッション２とを備えたものである。そして、座Ｃの前側では、座シェル１の前端部１ａが、座クッション２の前端部２ａよりも前側に位置している。座Ｃの後側では、座クッション２の後端部２ｂが、座シェル１の後端部１ｂよりも後側に位置している。このため、座クッション２の前端部２aが周囲の家具や壁体等に直接的に当接し難いものとなり、座クッション２の損傷が好適に抑制されるものとなる。また、座シェル１の後端部１ｂにおける上縁部分に埃等が堆積することが好適に抑制されたものとなる。
【００６２】
座シェル１が、後端部外面に貫通窓ｍｄに隣接する凹陥部ｔ１を備えたものであり、貫通窓ｍｄの縁たると背シェル３の内縁３１ｅと凹陥部ｔ１の縁である屈曲面ｔ１１とが環状に連続している。このため、使用者等の手掛け部として機能し得るとともに座Ｃの後部側から視認される開口形状を貫通窓ｍｄの実際の大きさよりも大きく印象づけることができるものとなっている。
【００６３】
なお、背シェル３は、背面側の外観を保持するためにねじ挿通孔等を最小限に設定することが好ましいものであり、本実施形態に示すようにテーパー係合手段Ｅを用いることにより、背シェル３の背面側の外観を好適なものとすることができるものとなっている。
【００６４】
座シェル１が、平面視円形状のものであり、背シェル３が、座シェル１の外縁に沿って湾曲したものである。このため、シェル体Ｓが強度に優れた形状をなすとともに、着座者の周囲を包むような好適な形状を形成したものとなっている。
【００６５】
なお、本発明は、以上に詳述した実施形態に限られるものではない。
【００６６】
座は、上述した実施形態に示されたものに限定されるものではない。座は、平面視において円形状をなす座シェルを備えていればよい。例えば、座は、座シェルを主体に構成されたものとし、座クッションを設けていない構成のものであってもよい。
【００６７】
左右の延出壁は、部分的に連結することによって、背凭れを構成しているものであってもよい。つまり、左右の延出壁同士が、左右方向中間部付近において上下方向に間欠的に連結されたものであってもよい。
【００６８】
脚体は、種々の形態のものを採用することができる。例えば、座の位置を上述した実施形態に示すものよりも高い位置に設定するために、脚支柱の寸法を上下方向に長く構成してもよい。なお、この場合には、脚体に、着座者の足を載せるための足かけ部を設けるようにしてもよい。
【００６９】
その他、各部の具体的構成についても上記実施形態に限られるものではなく、本発明の趣旨を逸脱しない範囲で種々変形が可能である。
【符号の説明】
【００７０】
１…座シェル
１２ａ…湾曲縁
３１…延出壁
３…背シェル
Ｃ…座
Ｄ…背凭れ
【図１】
2018057643.tif 000003
【図２】
2018057643.tif 000004
【図３】
2018057643.tif 000005
【図４】
2018057643.tif 000006
【図５】
2018057643.tif 000007
【図６】
2018057643.tif 000008
【図７】
2018057643.tif 000009
【図８】
2018057643.tif 000010
【図９】
2018057643.tif 000011
【図１０】
2018057643.tif 000012
【図１１】
2018057643.tif 000013
【図１２】
2018057643.tif 000014
【図１３】
2018057643.tif 000015
【図１４】
2018057643.tif 000016